(57)【特許請求の範囲】
【請求項１】
直角に屈曲した板状部材で、窓枠の下面に当接する水平板部と、窓枠の正面に当接する垂直板部とを構成し、前記水平板部には第一の取付孔を設け、前記垂直板部には第二の取付孔を設け、前記各取付孔は該取付孔に螺入されるネジが互いに干渉しない位置に形成し、前記水平板部には第一の取付ブラケットを取着するための第一のネジ孔を設け、前記垂直板部には第二の取付ブラケットを取着するための第二のネジ孔を設けたことを特徴とする日射遮蔽装置の取付補助具。
【請求項２】
前記水平板部及び垂直板部の両側部にはリブを設けたことを特徴とする請求項１記載の日射遮蔽装置の取付補助具。
【請求項３】
前記リブは、前記第一の取付ブラケット若しくは第二の取付ブラケットを回動不能に支持する間隔で形成したことを特徴とする請求項２記載の日射遮蔽装置の取付補助具。
【請求項４】
前記リブは、前記水平板部から垂直板部まで連続して形成したことを特徴とする請求項２または３記載の日射遮蔽装置の取付補助具。
【請求項５】
前記板状部材の屈曲部分の内側には凹面を形成したことを特徴とする請求項１乃至４のいずれか１項記載の日射遮蔽装置の取付補助具。
【発明の詳細な説明】
【０００１】
【発明の属する技術分野】
この発明は、横型ブラインド、ロールブラインド、プリーツカーテン、たくし上げカーテン等の日射遮蔽装置のヘッドボックス、あるいは支持フレームを取付面に固定するための取付補助具に関するものである。
【０００２】
【従来の技術】
横型ブラインド、ロールブラインド、プリーツカーテン、たくし上げカーテン等のヘッドボックス、あるいは支持フレームを、窓枠等の取付面に取着するには、あらかじめ複数の取付ブラケットを取付面に取着し、その取付ブラケットにヘッドボックスあるいは支持フレームを取着している。
【０００３】
このとき、取付ブラケットはヘッドボックスあるいは支持フレームの幅、サッシとの干渉等を考慮して、その取付位置を決定する必要がある。
【０００４】
【発明が解決しようとする課題】
図４に示すように、窓枠１の正面と下面とにそれぞれブラインド２，３を取着する場合、窓枠１の正面と下面とにそれぞれ複数個の取付ブラケット４，５を取着し、その取付ブラケット４，５に各ブラインド２，３のヘッドボックス６，７を取着する必要がある。
【０００５】
このとき、取付ブラケット４はブラインド２がブラインド３あるいはサッシ８に干渉しない位置に取着する必要がある。また、窓枠１の正面に対し、ヘッドボックス６が斜めにならないように、各取付ブラケット４の前後方向の位置を正確に揃える必要があるとともに、ヘッドボックス６を確実に支持するために、各取付ブラケットの中心線が確実に平行となるように窓枠１に対する取付角度を正確に一致させる必要がある。
【０００６】
従って、取付ブラケットの取付作業が煩雑であるという問題点がある。
この発明の目的は、窓枠の正面と下面とに日射遮蔽装置を容易に取着し得る取付補助具を提供することにある。
【０００７】
【課題を解決するための手段】
請求項１では、直角に屈曲した板状部材で、窓枠の下面に当接する水平板部と、窓枠の正面に当接する垂直板部とを構成し、前記水平板部には第一の取付孔を設け、前記垂直板部には第二の取付孔を設け、前記各取付孔は該取付孔に螺入されるネジが互いに干渉しない位置に形成し、前記水平板部には第一の取付ブラケットを取着するための第一のネジ孔を設け、前記垂直板部には第二の取付ブラケットを取着するための第二のネジ孔を設けた。
【０００９】
請求項２では、前記水平板部及び垂直板部の両側部にはリブを設けた。
請求項３では、前記リブは、前記第一の取付ブラケット若しくは第二の取付ブラケットを回動不能に支持する間隔で形成した。
【００１０】
請求項４では、前記リブは、前記水平板部から垂直板部まで連続して形成した。
請求項５では、前記板状部材の屈曲部分の内側には凹面を形成した。
【００１１】
【発明の実施の形態】
以下、この発明を具体化した一実施の形態を図面に従って説明する。
図１に示すように、取付補助具１１は、ダイキャストにより窓枠１の正面及び下面に沿うように直角に屈曲した形状に成形され、水平板部１２と垂直板部１３とから構成される。そして、水平板部１２及び垂直板部１３が窓枠１の下面及び正面に当接する状態で同窓枠１に固定される。
【００１２】
前記取付補助具１１に第一及び第二の取付ブラケット１４，１５が取着され、その第一及び第二の取付ブラケット１４，１５に例えば横型ブラインドのヘッドボックス１６，１７が支持される。
【００１３】
前記取付補助具１１は、図２に示すように、前記水平板部１２に２つの第一の取付孔１８ａ，１８ｂが中心線に沿って形成され、前記垂直板部１３には２つの第二の取付孔１９ａ，１９ｂが中心線の両側において斜め方向に位置するように形成されている。
【００１４】
前記第一の取付孔１８ａ，１８ｂ間には、前記第一の取付ブラケット１４を固定するためのネジ孔２０が形成され、前記第二の取付孔１９ａ，１９ｂ間には前記第二の取付ブラケット１５を固定するためのネジ孔２１が形成されている。
【００１５】
前記水平板部１２及び垂直板部１３の両側部には、リブ２２が形成されている。前記リブ２２は、その内側面が水平板部１２及び垂直板部１３に対し直角となるように形成され、その間隔は前記第一及び第二の取付ブラケット１４，１５を回動不能に嵌挿し得る間隔に形成される。
【００１６】
図１及び図３に示すように、前記取付補助具１１の屈曲部分の内側には、円弧状の凹面２４が形成されている。この凹面２４により窓枠１の角部を回避するとともに、屈曲部分を引き伸ばす方向に作用する応力の集中を防止して、取付補助具１１の強度を向上させるようになっている。
【００１７】
上記のような取付補助具１１を窓枠１に取着するには、図３に示すように、水平板部１２及び垂直板部１３を窓枠１の下面及び正面に当接させた状態で、第一の取付孔１８ａ，１８ｂからネジ２３を窓枠１に螺入する。
【００１８】
このようにして、複数の取付補助具１１を窓枠１に固定した後、図１に示すように、第一及び第二の取付ブラケット１４，１５を取付補助具１１に取着する。第一及び第二の取付ブラケット１４，１５を取付補助具１１に取着するには、同取付ブラケット１４，１５をリブ２２間に挿入し、ネジ（図示しない）を前記ネジ孔２０，２１に螺入する。すると、第一及び第二の取付ブラケット１４，１５が取付補助具１１に固定される。
【００１９】
このとき、取付ブラケット１４，１５はその両側がリブ２２に当接しているので、取付補助具１１へのネジの螺入操作時に、取付補助具１１に対し回動することはない。
【００２０】
第一及び第二の取付ブラケット１４，１５を取付補助具１１に取着した後、各取付ブラケット１４，１５にたとえば横型ブラインドのヘッドボックス１６，１７を取着すると、ヘッドボックス１６，１７が取付補助具１１及び取付ブラケット１４，１５を介して窓枠１に固定される。
【００２１】
上記のように構成された取付補助具１１では、次に示す作用効果を得ることができる。
（１）取付補助具１１は、窓枠１の正面及び下面に当接させた状態で窓枠に固定される。従って、複数の取付補助具１１の窓枠１に対する前後方向の取付位置及び取付角度を確実にかつ容易に揃えることができる。
（２）各取付補助具１１に第一及び第二の取付ブラケット１４，１５をそれぞれ取着すると、第一及び第二の取付ブラケット１４，１５の窓枠１に対する取付位置を容易に揃えることができる。
（３）各取付ブラケット１４，１５は、リブ２２により取付操作時の回動が阻止されるので、取付角度を一定に揃えることができる。
（４）各取付ブラケット１４，１５の窓枠１に対する取付位置及び取付角度が一定であるので、各取付ブラケット１４，１５にヘッドボックス１６，１７を確実に取着することができる。
（５）各取付ブラケット１４，１５に取着されるヘッドボックス１６，１７は、その間隔を第一の取付孔１８ａ，１８ｂと第二の取付孔１９ａ，１９ｂとで設定することができる。従って、取付孔１８ａ，１８ｂと同１９ａ，１９ｂとの間隔を適宜に設定することにより、ヘッドボックス１６，１７から吊下支持される横型ブラインドの干渉を確実に防止することができる。
（６）ヘッドボックス１６と窓枠１の下面との間に隙間が生じるが、その隙間から洩れる光は、ヘッドボックス１７から吊下支持される横型ブラインドにより遮断することができる。
（７）水平板部１２から垂直板部１３まで形成されたリブ２２により、取付補助具１１の曲げ強度を向上させることができる。従って、水平板部１２の第一の取付孔１８ａ，１８ｂだけを使用して、ネジ２３で窓枠１の下面に固定しても、取付補助具１１の撓みを防止することができる。また、水平板部１２の第一の取付孔１８ａ，１８ｂ及び垂直板部１３の第二の取付孔１９ａ，１９ｂを使用して、窓枠１の下面及び正面に固定することもできる。
（８）第二の取付孔１９ａ，１９ｂは、取付補助具１１の中心線の両側に位置するので、第一の取付孔１８ａ，１８ｂ及び第二の取付孔１９ａ，１９ｂからネジを螺入しても、互いに干渉することはない。
【００２２】
上記実施の形態は、次に示すように変更することもできる。
・横型ブラインドのヘッドボックス１６，１７以外に、ロールブラインド、プリーツカーテン、たくし上げカーテン等のヘッドボックス、あるいは支持フレームを窓枠１に取着する取付補助具として使用することができる。
・水平板部１２の第一の取付孔１８ａ，１８ｂを省略し、垂直板部１３にのみ第二の取付孔１９ａ，１９ｂを形成し、第二の取付孔１９ａ，１９ｂを使用して、取付補助具１１を窓枠１に取着するようにしてもよい。
・取付補助具１１は、ダイキャストの他、合成樹脂等、他の材質で形成してもよい。
【００２３】
【発明の効果】
以上詳述したように、この発明は窓枠の正面と下面とに日射遮蔽装置を容易に取着し得る取付補助具を提供することができる。
【図面の簡単な説明】
【図１】  一実施の形態の取付補助具を示す側面図である。
【図２】  取付補助具を示す斜視図である。
【図３】  取付補助具の窓枠への取付状態を示す断面図である。
【図４】  従来例を示す概要図である。
【符号の説明】
１１        取付補助具
１２        水平板部
１３        垂直板部
１４        第一の取付ブラケット
１５        第二の取付ブラケット
１８ａ，１８ｂ        第一の取付孔
２０        第一のネジ孔
２１        第二のネジ孔
【図１】
0003808768.tif 000002
【図２】
0003808768.tif 000003
【図３】
0003808768.tif 000004
【図４】
0003808768.tif 000005